(57)【要約】【課題】撮像素子の前方に配置された光学部材を振動させる機能を有しながらも、ライブビュー画像の表示開始に遅れが生じないようにする。【解決手段】撮像装置２００は、ライブビューモードと光学ファインダモードを備える。該装置は、撮像素子１１２の前方に配置される光学部材１３２を振動させる振動手段１３３と、撮像装置の電源を投入するための操作手段１２７と、該撮像装置の撮影モードを設定する撮影モード設定手段１２８とを有する。制御手段１２３は、ファインダモードがライブビューモードに固定される撮影モードが設定される場合には、操作手段の操作に応じて、光学部材の振動動作を行うことなくライブビュー画像の表示を開始させ、ファインダモードがライブビューに固定されない撮影モードが設定される場合には、ファインダモードを光学ファインダモードとして、操作手段の操作に応じて光学部材の振動動作を行う。【選択図】図３
2010193103.tif 000002
【特許請求の範囲】
【請求項１】
被写体像を画像表示手段にて観察するライブビューモードと被写体像を光学ファインダで観察する光学ファインダモードとのファインダモードを備えた撮像装置であって、
前記撮像素子の前方に配置される光学部材を振動させる振動手段と、
前記画像表示手段と前記振動手段の動作を制御する制御手段と、
該撮像装置の電源を投入するための操作手段と、
該撮像装置の撮影モードを設定する撮影モード設定手段とを有し、
前記制御手段は、前記撮影モード設定手段によって前記ファインダモードが前記ライブビューモードに固定される撮影モードが設定される場合には、前記操作手段の操作に応じて、前記振動手段による前記光学部材の振動動作を行うことなく、前記ライブビュー画像の表示を開始させ、前記撮影モード設定手段によって前記ファインダモードが前記ライブビューに固定されない撮影モードが設定される場合には、前記ファインダモードを前記光学ファインダモードとして、前記操作手段の操作に応じて、前記振動手段による前記光学部材の振動動作を行うことを特徴とする撮像装置。
【請求項２】
被写体像を画像表示手段にて観察するライブビューモードと被写体像を光学ファインダで観察する光学ファインダモードとのファインダモードを備えた撮像装置であって、
前記撮像素子の前方に配置される光学部材を振動させる振動手段と、
前記画像表示手段と前記振動手段の動作を制御する制御手段と、
該撮像装置の電源を投入するための操作手段と、
該撮像装置の撮影モードを設定する撮影モード設定手段とを有し、
前記制御手段は、前記撮影モード設定手段によって動画撮影モードが設定される場合には、前記操作手段の操作に応じて、前記振動手段による前記光学部材の振動動作を行うことなく、前記ライブビュー画像の表示を開始させ、前記撮影モード設定手段によって前記動画撮影モード以外の撮影モードが設定される場合には、前記ファインダモードを前記光学ファインダモードとして、前記操作手段の操作に応じて、前記振動手段による前記光学部材の振動動作を行うことを特徴とする撮像装置。
【請求項３】
被写体像を画像表示手段にて観察するライブビューモードと被写体像を光学ファインダで観察する光学ファインダモードとを備えた撮像装置であって、
前記撮像素子の前方に配置される光学部材を振動させる振動手段と、
前記画像表示手段と前記振動手段の動作を制御する制御手段と、
該撮像装置の電源を投入するための操作手段と、
前記ライブビューモードと前記光学ファインダモードとを切り換えるファインダモード設定手段とを有し、
前記制御手段は、前記ファインダモード設定手段によって前記ライブビューモードが設定される場合には、前記操作手段の操作に応じて、前記振動手段による前記光学部材の振動動作を行うことなく、前記ライブビュー画像の表示を開始させ、前記ファインダモード設定手段によって前記光学ファインダモードが設定される場合には、前記操作手段の操作に応じて、前記振動手段による前記光学部材の振動動作を行うことを特徴とする撮像装置。
【発明の詳細な説明】
【技術分野】
【０００１】
本発明は、いわゆるライブビュー画像の表示機能と、撮像素子の前方に配置される光学部材を振動させる機能とを有する撮像装置に関する。
【背景技術】
【０００２】
一眼レフデジタルカメラ等の撮像装置には、被写体の光学像を観察させる光学ファインダと、撮像素子を用いて生成された被写体観察用のライブビュー画像をモニタに表示するライブビュー表示機能の双方を備えたものがある。
また、特にレンズの交換が可能な一眼レフデジタルカメラには、撮像素子の受光面（カバーガラス）にごみ、埃、塵等の異物が付着することを回避するため、撮像素子の前方に配置されるローパスフィルターを振動させる機能を有するものがある。このようなカメラは、特許文献１，２等に開示されている。そして、このようなローパスフィルターの振動動作は、カメラの電源が投入されたり遮断されたりしたときに行われる場合が多い。特許文献２には、使用者の任意の操作に応じてローパスフィルターの振動動作を行うカメラが開示されている。
【先行技術文献】
【特許文献】
【０００３】
【特許文献１】特開２００５−２００７８号公報
【特許文献２】特開２００７−１１０５０６号公報
【発明の概要】
【発明が解決しようとする課題】
【０００４】
上記のようなローパスフィルターの振動動作は、クイックリターンミラーが収容されたミラーボックス内への異物の拡散を防止するために、シャッタを閉じた状態で行うのが望ましい。
しかしながら、シャッタを閉じた状態でローパスフィルターの振動動作を行うと、該振動動作が終了してシャッタが開放されるまではライブビュー画像を表示することができない。このため、電源の投入に応じてローパスフィルターの振動動作を行うカメラでは、電源を投入した直後からライブビュー画像を表示することができず、この結果、シャッタチャンスを逃す可能性がある。
【０００５】
本発明は、撮像素子の前方に配置される光学部材を振動させる機能を有しながらも、ライブビュー画像の表示開始に遅れが生じないようにした撮像装置を提供する。
【課題を解決するための手段】
【０００６】
本発明の一側面としての撮像装置は、被写体像を画像表示手段にて観察するライブビューモードと被写体像を光学ファインダで観察する光学ファインダモードとのファインダモードを備える。該撮像装置は、撮像素子の前方に配置される光学部材を振動させる振動手段と、画像表示手段と振動手段の動作を制御する制御手段と、該撮像装置の電源を投入するための操作手段と、該撮像装置の撮影モードを設定する撮影モード設定手段とを有する。制御手段は、撮影モード設定手段によってファインダモードがライブビューモードに固定される撮影モードが設定される場合には、操作手段の操作に応じて、振動手段による光学部材の振動動作を行うことなく、ライブビュー画像の表示を開始させ、撮影モード設定手段によってファインダモードがライブビューに固定されない撮影モードが設定される場合には、ファインダモードを光学ファインダモードとして、操作手段の操作に応じて、振動手段による光学部材の振動動作を行うことを特徴とする。
また、本発明の他の一側面としての撮像装置は、被写体像を画像表示手段にて観察するライブビューモードと被写体像を光学ファインダで観察する光学ファインダモードとのファインダモードを備える。該撮像装置は、撮像素子の前方に配置される光学部材を振動させる振動手段と、画像表示手段と振動手段の動作を制御する制御手段と、該撮像装置の電源を投入するための操作手段と、該撮像装置の撮影モードを設定する撮影モード設定手段とを有する。制御手段は、撮影モード設定手段によって動画撮影モードが設定される場合には、操作手段の操作に応じて、振動手段による光学部材の振動動作を行うことなく、ライブビュー画像の表示を開始させ、撮影モード設定手段によって動画撮影モード以外の撮影モードが設定される場合には、ファインダモードを光学ファインダモードとして、操作手段の操作に応じて、振動手段による光学部材の振動動作を行うことを特徴とする。
さらに、本発明の他の一側面としての撮像装置は、被写体像を画像表示手段にて観察するライブビューモードと被写体像を光学ファインダで観察する光学ファインダモードとを備える。該撮像装置は、撮像素子の前方に配置される光学部材を振動させる振動手段と、画像表示手段と振動手段の動作を制御する制御手段と、該撮像装置の電源を投入するための操作手段と、ライブビューモードと光学ファインダモードとを切り換えるファインダモード設定手段とを有する。制御手段は、ファインダモード設定手段によってライブビューモードが設定される場合には、操作手段の操作に応じて、振動手段による光学部材の振動動作を行うことなく、ライブビュー画像の表示を開始させ、ファインダモード設定手段によって光学ファインダモードが設定される場合には、操作手段の操作に応じて、振動手段による光学部材の振動動作を行うことを特徴とする。
【発明の効果】
【０００７】
本発明によれば、撮像素子の前方に配置されるローパスフィルター等の光学部材を振動させる機能を有しながらも、電源投入等のための操作手段の操作後、光学部材の振動動作の終了を待つことなく、迅速にライブビュー画像の表示を開始することができる。
【図面の簡単な説明】
【０００８】
【図１】本発明の実施例１である一眼レフデジタルカメラの動作を示すフローチャート。
【図２】実施例１のカメラにおけるセンサークリーニング動作を示すフローチャート。
【図３】実施例１のカメラの電気的構成を示すブロック図。
【図４】実施例１のカメラ及び交換レンズの構成を示す概略図。
【発明を実施するための形態】
【０００９】
以下、本発明の好ましい実施例について図面を参照しながら説明する。
【実施例１】
【００１０】
図４には、本発明の実施例１である撮像装置としての一眼レフデジタルカメラの構成を示している。
２００はカメラ本体である。１０１はカメラ本体２００に取り外し可能に装着される交換レンズである。
カメラ本体２００において、１０６は主ミラー（クイックリターンミラー）である。主ミラー１０６は、後述する光学ファインダを使用して被写体を観察する状態（光学観察状態）では撮影光路内に配置され、後述するライブビューモード及び撮像時（画像記録時）には、撮影光路外に退避する。主ミラー１０６はハーフミラーであり、撮影光路内に配置されている状態では、被写体からの光束（交換レンズ１０１からの光束）の一部を透過させ、他の光束を光学ファインダに向けて反射する。
１０７はサブミラーであり、光学観察状態では、主ミラー１０６とともに撮影光路内に配置され、ライブビューモード及び撮像時には撮影光路外に退避する。撮影光路内に配置されたサブミラー１０７は、主ミラー１０６を透過した光束を、後述する焦点検出ユニット１０９に向けて反射する。
焦点検出ユニット１０９は、位相差検出方式によって交換レンズ１０１内の撮影光学系の焦点状態を検出する。焦点状態の検出結果は、後述するマイクロコンピュータに送られる。
２０２は交換レンズ１０１の予定結像面に配置されたピント板である。１０８はピント板２０２上に形成された被写体像を反転させるペンタプリズムである。２０４は接眼レンズである。ピント板２０２、ペンタプリズム１０８及び接眼レンズ２０４により、ピント板２０２上に形成された被写体像を、接眼レンズ２０４を通して観察できる光学ファインダが構成される。
２０５は結像レンズであり、２０６は結像レンズ２０５からの光束を用いて被写体輝度を測定するための測光センサである。
１１０はフォーカルプレンシャッタであり、主ミラー１０６及びサブミラー１０７が収容されたミラーボックス（図示せず）の後端部に取り付けられている。
１１２はＣＣＤセンサやＣＭＯＳセンサ等の光電変換素子としての撮像素子である。撮像素子１１２は、交換レンズ１０１からの光束により形成された被写体像を光電変換する。
１３２は撮像素子１１２の受光面（カバーガラス）の前方に配置される光学部材としてのローパスフィルターである。ローパスフィルター１３２と撮像素子１１２との間は、ごみ等の異物が侵入しないように封止されている。
１１８はカメラ本体２００の背面に設けられた画像表示手段としてのモニタである。該モニタ１１８は、後述するライブビュー画像や撮像によって記録媒体に記録された撮影画像を表示する。ライブビュー画像とは、撮像素子１１２を用いて生成されてモニタ１１８に表示される被写体観察用の動画像であって、光学ファインダと同様な被写体観察を電子的に行わせるための画像である。ライブビュー画像は、記録のために生成される撮影画像（静止画像や動画像）とは異なる。
そして、ライブビュー画像をモニタ１１８に表示させるモード（第１のモード）が、ライブビューモードである。これに対して、光学ファインダを通して被写体観察を行わせるモード（第２のモード）を、以下、光学ファインダモードという。ライブビューモードと光学ファインダモードをまとめてファインダモードともいう。本実施例の一眼レフデジタルカメラは動画撮影モードを備えており、この動画撮影モードが選択される場合には、ファインダモードがライブビューモードに固定され、光学ファインダモードは選択することができない。
交換レンズ１０１において、３０１は光軸方向に移動して焦点調節を行うフォーカスレンズとしての第１レンズユニットである。３０２は光軸方向に移動して変倍を行う変倍レンズとしての第２レンズユニットである。３０３は固定された第３レンズユニットである。１０４は光量を調節する絞りである。これら第１〜第３レンズユニット３０１〜３０３及び絞り１０４により撮影光学系が構成される。
１０２は第１レンズユニット３０１をフォーカスアクチュエータによって光軸方向に移動させるＡＦ駆動回路である。１０３は第２レンズユニット３０２をズームアクチュエータによって光軸方向に移動させるズーム駆動回路である。１０５は絞り１０４に設けられた絞り羽根を絞りアクチュエータによって動作させて、開口径を変化させる絞り駆動回路である。ＡＦ駆動回路１０２、ズーム駆動回路１０３及び絞り駆動回路１０５の動作は、後述するマイクロコンピュータにより制御される。
３０８はカメラ本体２００と交換レンズ１０１との通信インターフェースとなるレンズマウント接点である。
【００１１】
図３には、本実施例のカメラの電気的構成を示している。図３において、図１に示した構成要素と同じ構成要素には、図１中と同じ符号を付して説明に代える。
１１１はシャッタ駆動回路であり、マイクロコンピュータ１２３からの制御信号に応じてフォーカルプレンシャッタ１１０、主ミラー１０６及びサブミラー１０７を駆動する。マイクロコンピュータ１２３は、ライブビューモードでは、前述したように、主ミラー１０６及びサブミラー１０７を撮影光路外に退避させ（以下、この動作をアップ動作という）、フォーカルプレンシャッタ１１０を開放状態にする。これにより、交換レンズ１０１からの光束が、撮像素子１１２に到達して被写体像を形成する。なお、主ミラー１０６及びサブミラー１０７を撮影光路内に戻す動作を、以下、ダウン動作という。
１３３は振動手段としてのローパスフィルター駆動回路であり、マイクロコンピュータ１２３からの制御信号に応じて、ローパスフィルター１３２を圧電素子等のアクチュエータを用いて振動させる。これによりローパスフィルター１３２の表面に付着した異物をふるい落とすことができる。
１１３は撮像素子１１２からのアナログ出力信号をクランプするクランプ回路である。１１４はクランプ回路１１３から出力されたアナログ出力信号のゲインをコントロールするＡＧＣ回路である。１１５はＡ／Ｄ変換器であり、ＡＧＣ回路１１４からのアナログ信号をデジタル信号に変換する。
１１６は画像生成手段としての映像信号処理回路であり、Ａ／Ｄ変換器１１５からのデジタル信号に対して各種信号処理を行って画像データ（ライブビュー画像や撮影画像）を生成する。画像データは、後述するモニタ駆動回路１１７及びメモリコントローラ１１９に出力されるほか、マイクロコンピュータ１２３にも出力される。映像信号処理回路１１６の動作は、マイクロコンピュータ１２３により制御される。
モニタ駆動回路１１７は、マイクロコンピュータ１２３からの制御信号に応じてモニタ１１８の表示／非表示を切り替えたりモニタ１１８にライブビュー画像や撮影画像の表示動作を行わせたりする。
１２０は前述した記録媒体としてのメモリ（半導体メモリや光ディスク等）であり、カメラ本体２００に対して着脱が可能である。また、１２１はマイクロコンピュータやプリンタ等の外部装置との接続を可能とする外部インターフェースである。本実施例のカメラは、外部インターフェース１２１を介して外部装置に出力された画像データ（ライブビュー画像や撮影画像）を、該外部装置に設けられた表示手段としてのモニタに表示させることも可能である。
メモリコントローラ１１９は、メモリ１２０及び外部インターフェース１２１を介した外部装置との画像データのやり取りを制御するである。
１２４は操作回路であり、撮影準備スイッチ１２５（以下、ＳＷ１という）と撮影スイッチ１２６（以下、ＳＷ２という）の操作に応じた信号を生成して、マイクロコンピュータ１２３に出力する。ＳＷ１は、不図示のレリーズボタンの半押し操作（第１ストローク操作）によってオンになる。ＳＷ２は、レリーズボタンの全押し操作（第２ストローク操作）によってオンになる。マイクロコンピュータ１２３は、ＳＷ１のオンに応じて、ＡＦや測光等の撮影準備動作を行う。また、ＳＷ２のオンに応じて、撮影画像の生成及び記録動作（撮影動作ともいう）を行う。
【００１２】
また、操作回路１２４は、操作手段としての電源スイッチ１２７が電源を投入するために操作されたことを示す信号をマイクロコンピュータ１２３に出力する。また、操作回路１２４は、撮影モード設定手段としての撮影モードダイヤル１２８が設定された撮影モードを示す信号をマイクロコンピュータ１２３に出力する。
さらに操作回路１２４は、ファインダモード設定手段としてのライブビュースイッチ１２９がモニタ１１８に画像の表示を行わせるために操作されたことを示す信号をマイクロコンピュータ１２３に出力する。また、操作回路１２４は、センサークリーニングスイッチ１３０が、ローパスフィルター１３２を振動動作させるセンサークリーニング動作を行わせるために操作されたことを示す信号をマイクロコンピュータ１２３に出力する。マイクロコンピュータ１２３は、操作回路１２４からの各信号によって各スイッチの操作の有無を検出することができる。
１３０は不揮発性メモリ（ＥＥＰＲＯＭ）であり、マイクロコンピュータ１２３の動作や処理に必要なコンピュータプログラムやデータを保持する。
１３１はバッテリであり、カメラ本体２００及び交換レンズ１０１の動作に必要な電源を供給する。
【００１３】
次に、図１及び図２のフローチャートを用いて、本実施例のカメラの動作（制御方法）について説明する。図１はカメラのメイン動作を示している。図２はメイン動作内で行われるセンサークリーニング動作を示している。これらの動作（処理）は、マイクロコンピュータ１２３によりコンピュータプログラムに従って実行される。なお、「Ｓ」は、ステップを意味する。
Ｓ７０２では、マイクロコンピュータ１２３は、電源スイッチ１２７がオンしたか否かを判断（検出）する。電源スイッチ１２７がオフであればＳ７０２での判断を繰り返し、電源スイッチ１２７がオンであればＳ７０５に進み、所定の初期化処理を行う。
次に、Ｓ７０８では、マイクロコンピュータ１２３は、撮影モードダイヤル１２８にて動画撮影モードが設定されるかどうかを判定する。動画撮影モードが設定される場合にはファインダモードがライブビューモードに固定され、光学ファインダモードは設定することができない。一方、撮影モードダイヤル１２８にて動画撮影モード以外の撮影モードが設定される場合には、まず光学ファインダモードが設定される。そして、その後、ライブビュースイッチ１２９の操作によってライブビューモードを設定することができる。本ステップにおいて、撮影モードダイヤル１２８にて設定される撮影モードが動画撮影モードである場合は、Ｓ７０９に進む。
Ｓ７０９では、マイクロコンピュータ１２３は、シャッタ駆動回路１１１を通じて、主ミラー１０６及びサブミラー１０７をアップ動作させ、さらにフォーカルプレンシャッタ１１０を開放させる。これにより、撮像素子１１２上に被写体像が形成される。マイクロコンピュータ１２３は、撮像素子１１２の駆動を開始し、撮像素子１１２から光電変換により得られた信号を出力させる。
Ｓ７１０では、マイクロコンピュータ１２３は、映像信号処理回路１１６に、撮像素子１１２からの信号に基づいて、ライブビュー画像を生成させる。
Ｓ７１１では、マイクロコンピュータ１２３は、生成されたライブビュー画像をモニタ１１８に出力し、該ライブビュー画像に表示動作（以下、ライブビュー表示ともいう）を開始させる。そして、Ｓ７１５へ進む。
一方、Ｓ７０８においてファインダモードが光学ファインダモードであったときは、Ｓ７１２に進み、ローパスフィルター駆動回路１３３にローパスフィルター１３２を振動動作させるセンサークリーニング動作を行う。ここでのセンサークリーニング動作は、１回（１サイクル）のみ行われる。そして、Ｓ７１５へ進む。
このように、本実施例では、撮影モードダイヤル１２８にて動画撮影モードが設定されている場合（ライブビュー表示を行わせる場合）は、電源スイッチ１２７のオン操作に応じて、センサークリーニング動作を行わせずにライブビュー表示を開始させる。したがって、電源スイッチ１２７のオン操作後、センサークリーニング動作の終了を待つことなく、迅速にライブビュー表示を開始することができ、ライブビュー画像を通じた被写体観察を開始することができる。一方、撮影モードダイヤル１２８にて動画撮影モード以外が設定される場合には、光学ファインダを通して被写体観察を行えるため、電源スイッチ１２７のオン操作に応じてセンサークリーニング動作を行うことで、ローパスフィルター１３２に付着した異物をふるい落とすことができる。
Ｓ７１５では、マイクロコンピュータ１２３は、モニタ１１８にライブビュー画像が表示されている状態（ライブビュー状態）か否か判定する。ライブビュー状態であれば、Ｓ７１８をスキップしてＳ７２５に進む。ライブビュー状態でなければ、Ｓ７１８へ進む。
Ｓ７１８では、センサークリーニングスイッチ１３０がオン操作されたか否かを判定する。センサークリーニング動作は、前述した電源投入時と後述する電源遮断時に自動的に行われるほか、センサークリーニングスイッチ１３０のオン操作によっても行わせることができる。センサークリーニングスイッチ１３０がオンであれば、Ｓ７２２に進む。Ｓ７２２では、マイクロコンピュータ１２３は、センサークリーニング動作を行わせる。このときのセンサークリーニング動作は、２回（２サイクル）行われ、異物の除去率を高めている。センサークリーニング動作が終了すると、Ｓ７２５に進む。また、センサークリーニングスイッチ１３０がオフであれば、Ｓ７２５に進む。
Ｓ７２５では、マイクロコンピュータ１２３は、ライブビュースイッチ１２９が操作されたか否かを判定する。本実施例では、光学ファインダモードのときにライブビュースイッチ１２９が操作されたときはライブビューモードに切り換えて、ライブビュー表示を開始する。ライブビュー状態においてライブビュースイッチ１２９が操作されたときはライブビュー表示を終了して、光学ファインダモードに切り換える。ライブビュースイッチ１２９が操作された場合はＳ７４２に進み、操作されていない場合はＳ７２８に進む。
Ｓ７４２では、マイクロコンピュータ１２３は、ライブビュー状態であるか否かを判定する。ライブビュー状態であるときはＳ７５５に進みし、モニタ１１８の表示動作を停止（ＯＦＦ）し、Ｓ７５８で撮像素子１１２の駆動を終了する。そして、Ｓ７６２で主ミラー１０６及びサブミラー１０７をダウン動作させ、フォーカルプレンシャッタ１１０を閉じて撮像素子１１２を遮光状態にする。このようにして、ライブビュー表示を終了し、Ｓ７２８に進む。
一方、Ｓ７４２でライブビュー状態でない場合には、Ｓ７４５に進み、マイクロコンピュータ１２３は、主ミラー１０６及びサブミラー１０７をアップ動作させ、フォーカルプレンシャッタ１１０を開放状態にする。そして、Ｓ７４８にて、撮像素子１１２の駆動を開始し、撮像素子１１２から光電変換により得られた信号を出力させる。さらに、Ｓ７４８１０に進み、マイクロコンピュータ１２３は、映像信号処理回路１１６に、撮像素子１１２からの信号に基づいてライブビュー画像を生成させ、Ｓ７５２にてライブビュー表示を開始させる。そして、Ｓ７２８に進む。
このときも、ライブビュー表示を行わせるためのライブビュースイッチ１２９の操作に応じて、センサークリーニング動作を行わずにライブビュー表示を開始させる。これにより、センサークリーニング動作の終了を待つことなく、迅速にライブビュー表示を開始することができる。
Ｓ７２８では、マイクロコンピュータ１２３は、ＳＷ１がオンか否かを判定する。ＳＷ１がオンであればＳ７３２に進み、前述した撮影準備動作を行う。ここでの焦点検出ユニット１０９での検出結果に基づいて、ＡＦ駆動回路１０２によって第２レンズユニット３０２が駆動され、被写体に対する合焦が得られる。そして、Ｓ７３５に進む。また、ＳＷ１がオンでなければ、Ｓ７６５に進む。
Ｓ７３５では、マイクロコンピュータ１２３は、ＳＷ２がオンか否かを判定する。ＳＷ２がオンであればＳ７３８へ進み、マイクロコンピュータ１２３は撮影動作（撮像処理ルーチン）を行う。光学ファインダモードから撮影動作を行う場合は、主ミラー１０６及びサブミラー１０７をアップ動作させ、フォーカルプレンシャッタ１１０を動作させて撮像素子１１２を露光する。露光終了後、撮像素子１１２から信号を読み出して、映像信号処理回路１１６に撮影画像を生成させる。その後、主ミラー１０６及びサブミラー１０７をダウン動作させる。また、生成された撮影画像を、メモリ１２０に格納する。こうして撮影動作を終了する。
一方、ライブビューモード（ライブビュー状態）から撮影動作を行う場合は、マイクロコンピュータ１２３は、主ミラー１０６及びサブミラー１０７を撮影光路外に退避させたまま、開放状態にあったフォーカルプレンシャッタ１１０を閉動作させる。これ以降は、光学ファインダモードからの撮影動作と同じである。撮影動作が終了すると、再びライブビュー状態に復帰する。そして、Ｓ７６５に進む。
Ｓ７３５においてＳＷ２がオフであった場合は、Ｓ７２８に戻り、マイクロコンピュータ１２３は、再度ＳＷ１がオンか否かを判定する。ＳＷ１がオンでＳＷ２がオフの間は、Ｓ７２８，Ｓ７３２，Ｓ７３５を繰り返す。
Ｓ７６５では、マイクロコンピュータ１２３は、撮影モードダイヤル１２８、ライブビュースイッチ１２９及びセンサークリーニングスイッチ１３０を含む各種スイッチが操作されたか否かを判定する。いずれかのスイッチが操作された場合には、Ｓ７６８で操作されたスイッチに対応する処理を行って、Ｓ７７０に進む。いずれのスイッチも操作されなかった場合は、そのままＳ７７０に進む。
Ｓ７７０では、マイクロコンピュータ１２３は、電源スイッチ１２７がオンのままであるか否か（オフされたか否か）を判定する。オンのままであればＳ７１５に戻って前述した動作を繰り返す。一方、電源スイッチ１２７がオフであれば、Ｓ７７１に進む。
Ｓ７７１では、マイクロコンピュータ１２３は、ライブビュー状態であるか否かを判定する。ライブビュー状態であれば、ライブビュー表示を終了するためにＳ７７２に進む。
Ｓ７７２では、マイクロコンピュータ１２３は、電源スイッチ１２７がオフされたときにライブビュー状態であったこと（ライブビューモードが設定されていたこと）を不揮発性メモリ１３５に記憶させる。
次に、Ｓ７７５において、マイクロコンピュータ１２３は、モニタ１１８の表示動作を停止（ＯＦＦ）し、Ｓ７７６で撮像素子１１２の駆動を終了する。さらに、Ｓ７７７で主ミラー１０６及びサブミラー１０７をダウン動作させるとともに、フォーカルプレンシャッタ１１０を閉動作させて撮像素子１１２を遮光状態にする。こうして、ライブビュー表示を終了すると、Ｓ７７９に進む。
また、Ｓ７７１でライブビュー状態でない場合は、Ｓ７７８に進み、マイクロコンピュータ１２３は、電源スイッチ１２７がオフされたときに光学ファインダモードが設定されていたことを不揮発性メモリ１３５に記憶させる。そして、Ｓ７７９に進む。
Ｓ７７９では、マイクロコンピュータ１２３は、その他の終了処理を行い、Ｓ７８０に進む。
Ｓ７８０では、マイクロコンピュータ１２３は、センサークリーニング動作を１回（１サイクル）行わせて、電源を遮断する。
図２には、図１のＳ７１２，Ｓ７２２及びＳ７８０で実行されるセンサークリーニング動作を示している。マイクロコンピュータ１２３は、Ｓ７１２，Ｓ７２２及びＳ７８０において、センサークリーニング動作を行うべき回数（サイクル数）を不揮発性メモリ１３５から読み出す。また、センサークリーニング動作の開始に先立って、フォーカルプレンシャッタ１１０を閉動作させる。
Ｓ８１８では、マイクロコンピュータ１２３は、ローパスフィルター駆動回路１３３に、ローパスフィルター１３２の振動動作を所定の振動パターンで行わせる。振動パターンとしては、ローパスフィルター１３２の大きさや厚み等に応じた周波数（単一の周波数や複数の周波数）や振動方向、振動量等を含む。
ローパスフィルター１３２の振動動作によってふるい落とされた異物は、不図示の吸着板に吸着され、再びローパスフィルター１３２に付着しないようになっている。また、フォーカルプレンシャッタ１１０が閉じられていることにより、ミラーボックス内に異物が拡散することはない。振動動作が終了すると、Ｓ８２０に進む。
Ｓ８２０では、マイクロコンピュータ１２３は、先に読み出したセンサークリーニング動作の回数（サイクル数）を１つカウントダウンする。これにより残りのサイクル数が求められる。
次に、Ｓ８２２では、マイクロコンピュータ１２３は、残りのサイクル数が０になったか否かを判定する。０でなければＳ８２４に進み、０であればセンサークリーニング動作を終了する。
Ｓ８２４では、マイクロコンピュータ１２３は、フォーカルプレンシャッタ１１０を動作させる。これは、ローパスフィルター１３２の振動動作によってふるい落とされた異物がフォーカルプレンシャッタ１１０に付着した場合に、これをふるい落とすためである。
その後、Ｓ８２８において、マイクロコンピュータ１２３は、フォーカルプレンシャッタ１１０を閉動作させる。そして、Ｓ８１８に戻り、再び、ローパスフィルター１３２の振動動作を行わせる。これにより、Ｓ８２４でフォーカルプレンシャッタ１１０からふるい落とされた異物がローパスフィルター１３２に再付着したとしても、これをふるい落とすことができる。
こうして、Ｓ８２２で、残りサイクル数が０になると、マイクロコンピュータ１２３は、センサークリーニング動作を終了する。
【実施例２】
【００１４】
上記実施例１では、Ｓ７０８にて、マイクロコンピュータ１２３が、撮影モードダイヤル１２８にて動画撮影モードが設定されるかどうかを判定する例を説明した。これはメインスイッチをオンしたときのファインダモードの設定が撮影モードによって決められているからである。すなわち、動画撮影モードが設定されると、ライブビューモードが設定され、動画撮影モード以外が設定されると、光学ファインダモードが設定される。
実施例２では、動画撮影モード以外が設定されたときには、メインスイッチをオンしたときのファインダモードをライブビュースイッチ１２９の状態によって切り換える。すなわち、動画撮影モード以外が設定されたときであっても、ライブビュースイッチ１２９によってライブビューモードが設定されていれば、メインスイッチをオンしたときのファインダモードをライブビューモードとする。
なお、実施例２では動画撮影モードが設定される場合にはライブビュースイッチ１２９の状態に関わらず、ライブビューモードが設定されることとなる。このような実施例２では、図１のＳ７０８に代えて、マイクロコンピュータ１２３が、ライブビュースイッチ１２９によってライブビューモードが設定されているかどうかを判定する。これ以外の動作は実施例１と同様となる。
以上説明した各実施例は代表的な例にすぎず、本発明の実施に際しては、各実施例に対して種々の変形や変更が可能である。例えば、振動させる光学部材として、ローパスフィルター以外のものを用いてもよい。
【産業上の利用可能性】
【００１５】
撮像素子の前方に配置される光学部材を振動させる機能を有しながらも、ライブビュー画像の表示開始に遅れが生じないようにした撮像装置を実現できる。
【符号の説明】
【００１６】
１０１  交換レンズ
１０２  ＡＦ駆動部
１０３  ズーム駆動部
１０４  絞り
１０５  絞り駆動部
１０６  主ミラー
１０７  サブミラー
１０８  ペンタプリズム
１０９  焦点検出ユニット
１１０  フォーカルプレンシャッタ
１１１  シャッタ駆動回路
１１２  撮像素子
１１６  映像信号処理回路
１１８  モニタ
１２３  マイクロコンピュータ
１２４  操作回路
１３２  ローパスフィルター
１３３  ローパスフィルター駆動回路
２００  カメラ本体
【図１】
2010193103.tif 000003
【図２】
2010193103.tif 000004
【図３】
2010193103.tif 000005
【図４】
2010193103.tif 000006